(57)【特許請求の範囲】
【請求項１】
印字媒体上に底面を接触させた固定状態で印字を行う電子スタンプにして、上端を揺動支点にし、前記電子スタンプの中央に設けられたモータを駆動源として円弧運動する作動アームの下端に、印字媒体面に沿って平行移動するように姿勢規制駒が形成されたインクジェット印字ヘッドを取付けたことを特徴とする電子スタンプ。
【発明の詳細な説明】
【０００１】
【発明の属する技術分野】
本発明は、ゴム印などに代わって、印面デザインを自在に設定できる電子スタンプに関するものである。
【０００２】
【従来の技術】
従来、特開平８−６７０３２号として「底面印字型ハンディプリンタ」が提案されているが、スペーシング機構におけるアイドルプーリ（５１）やドライブプーリ（５３）の存在のために、インクジェット印字ヘッドの印字媒体面に沿って移動する方向において、その移動量以上に両プーリを収容する分に相応して装置が大きくなり、捺印の目標位置を的確には捉え難く、また、底面枠体（４５）を必要とするものであった。
【０００３】
【発明が解決しようとする課題】
印字媒体上に底面を接触させた固定状態で印字を行う電子スタンプであって、インクジェット印字ヘッドを印字媒体面に沿って移動するようにし、且つ、その移動方向においてヘッド以外の他の構造物が介在せず、移動方向の長さが略捺印範囲となり、目標位置を的確に捉え易い電子スタンプを提供することを目的とする。
【０００４】
上記の課題を解決するために、本発明の電子スタンプは、印字媒体上に底面を接触させた固定状態で印字を行う電子スタンプにして、上端を揺動支点にし、前記電子スタンプの中央に設けられたモータを駆動源として円弧運動する作動アームの下端に、印字媒体面に沿って平行移動するように姿勢規制駒が形成されたインクジェット印字ヘッドを取付けたものである。
【０００５】
【発明の実施の形態】
以下、本発明の一実施例を図面に基づいて説明する。
【０００６】
図１は、本発明における電子スタンプの手前側の前板を取り除いて印字開始の待機状態で示した正面説明図である。
【０００７】
図２は、同じく印字の終了状態で示した正面説明図である。
【０００８】
図３は、印字の中間（途中）状態で示した正面説明図である。
【０００９】
図４は、図３を中央で切断した右側断面の説明図である。
【００１０】
図５は、本発明における電子スタンプの他の例の図１に対応した正面説明図である。
【００１１】
図６は、同じく図２に対応した正面説明図である。
【００１２】
図７は、図４に対応した右側断面の説明図である。
【００１３】
図１乃至図４を参照して、本体は前板１１と後板１３と右側板１５と左側板１７とで構成されて、底面が開放され、上面が液晶表示板１９が配置されている。そして、前板１１と後板１３とには、底面と平行で同じ高さ位置にガイド溝１１ａと１３ａとが形成されている。
【００１４】
また、後板１３の中央にステッピングモータ２１が支持され、モータ軸には前板１１に向かって駆動歯車２３が取り付けられている。
【００１５】
更に、モータ２１の上方で前板１１と後板１３との間に装架された軸３１において作動アーム４１が揺動自在に枢支され、該アーム４１は、中央の窓の下縁に相当する部分に前記駆動歯車２３と噛合する円弧状の内歯４１ａを形成し、また、底面側の下端に左右に開いた前後一対の脚部４１ｃを形成している。
【００１６】
インクジェット印字ヘッド５１は、底面側を向く方向で摺動を許容するように作動アーム４１の脚部４１ｃに挟み込まれ、前板１１のガイド溝１１ａと後板１３のガイド溝１３ａとに遊合するするように前後方向の夫々の外側の中央部にガイドローラ５１ａと５１ｃとを配置している。
【００１７】
また、インクジェット印字ヘッド５１には、インクタンク５３からチューブ５５を介してインクが供給されるようになっており、インクを噴射するノズル群が先端部において後述の移動方向と直交する方向に配列されている。
【００１８】
更にまた、６１は制御回路を搭載する制御基板、６３は印字ヘッドドライバ、６５はフレキシブル基板、６７は赤外線通信ポートを示し、７１，７３，７５はＣＰＵ，モータドライバ，表示ドライバ，メモリ等必要なＩＣが搭載されることを概念的に示している。
【００１９】
以上のような構成の電子スタンプにおいて、横書きのスタンプの文字の大きさ（高さ）は、図４で見るインクジェット印字ヘッド５１の幅（ノズルの配列方向の距離）に制限される。
【００２０】
スタンプの文字／記号データは、アプリケーションソフトに基づいてパーソナルコンピュータで作成し、コンピュータと電子スタンプ本体とを通信可能状態にして、電子スタンプ側で印字の開始指令を与えると、ステッピングモータ２１の回転に伴い駆動歯車２３と内歯４１ａの噛合により作動アーム４１が円弧運動することによって、ガイドローラ５１ａ，５１ｃがガイド溝１１ａ，１３ａに案内されながらインクジェット印字ヘッド５１が脚部４１ｃ内を相対的に摺動することで、該印字ヘッド５１は、底面部で揺動しながら略平行移動し、底面部の下に置かれた印字媒体に、スタンプデータを印字する。
【００２１】
また、文字／記号データは、パーソナルコンピュータで作成してメモリカードに記録し、そのメモリカードを電子スタンプ本体に装着して、本体上でデータを呼び出し、印字するようにしてもよい。
【００２２】
更にまた、電子スタンプは、本体に入力手段としての所定のキーボードを備えると共に、ソフトを搭載して、自身で文字／記号データを作成し、そのまま或いは記憶しているものを呼び出して、パーソナルコンピュータを介さずに、スタンプデータを印字できるスタンドアローンタイプに構成することもできる。
【００２３】
インクジェット印字ヘッド５１の印字動作について詳述すると、電子スタンプの底面を印字媒体上に接触させて固定した（手で押さえた）図１の印字開始の待機状態で、電子スタンプに印字の開始指令を与えると、制御回路の働きで、ステッピングモータ２１が回転して駆動歯車２３反時計方向に回転し、そして、内歯４１ａにより駆動歯車２３と噛合している作動アーム４１が反時計方向に円弧運動するので、印字ヘッド５１は周囲でのアーム４１の脚部４１ｃの摺動を許容しながら、ガイドローラ５１ａ，５１ｃが前板１１のガイド溝１１ａと後板１３のガイド溝１３ａとに案内されて、印字媒体に対する印字動作を制御されながら右方へ移動し、図３の途中経過を経て、図２の印字の終了状態に至ったところで、モータ２１の停止と共に、印字動作を終了する。
【００２４】
その後、所定の間隔を置いてステッピングモータ２１が逆転して、全体が図１の状態に戻る。
【００２５】
前板１１のガイド溝１１ａと後板１３のガイド溝１３ａとが、底面に対して同じ高さ位置で平行に形成されて、印字ヘッド５１のガイドローラ５１ａ，５１ｃを案内しているが、印字ヘッド５１は脚部４１ｃでの摺動連結により、円弧運動する作動アーム４１に対して平行移動するので、ヘッド先端がその移動過程において揺動する（記録媒体に対して、中央で一番接近し、両端で遠くなる）が、円弧運動の角度を小さくする設計を考慮することで、印字への影響を少なく抑えることができる。
【００２６】
図５、図６及び図７による実施例は、前板（１１）と後板（１３）をそれぞれ上板１１’，１３’と下板１１”，１３”とに分離して、ガイド溝（１１ａ，１３ａ）に相当する隙間１１ｃ，１３ｃを形成し、また、インクジェット印字ヘッド５１の前後方向の夫々の外側の中央部に順番に円柱部（ガイドローラ）５１ｅ，５１ｇと矩形の姿勢規制駒５１ｉ，５１ｋを形成して、該駒５１ｉ，５１ｋを前記の隙間１１ｃ，１３ｃに遊嵌させ、更に、作動アーム４１の底面側の下端の前後方向に一対の二股部４１ｅを形成して、該二股部４１ｅにより前記の印字ヘッド５１の円柱部５１ｅ，５１ｇに連結したものである。
【００２７】
この実施例では、作動アーム４１が円弧運動した時、印字ヘッド５１は円柱部５１ｅ，５１ｇと二股部４１ｅとの連結により移動させられるが、作動アーム４１の姿勢と同じにするような変位（揺動）はなく、姿勢規制駒５１ｉ，５１ｋが隙間１１ｃ，１３ｃに案内され、底面部に対して平行移動を行い、記録媒体の全域で等距離を維持する。
【００２８】
本発明の電子スタンプは、振り子（円弧）運動するような作動アーム４１の下方先端部側でインクジェット印字ヘッド５１を操作して、該印字ヘッドの移動制御を行う構成であるので、印字ヘッドの移動方向には自身以外の構造物は存在せず、筐体（右側板１５）のすぐ内側がスタンプの印字開始位置になる。従って、スタンプの捺印の目標位置を据え易く、アイデア段階を超えた実用機として実施できるものである。また、姿勢規制駒５１ｉ、５１ｋが底面部に対して平行移動を行うので、記録媒体の全域で等距離を維持することができる。
【００２９】
【図面の簡単な説明】
【図１】本発明における電子スタンプの手前側の前板を取り除いて印字開始の待機状態で示した正面説明図である。
【図２】同じく印字の終了状態で示した正面説明図である。
【図３】印字の中間（途中）状態で示した正面説明図である。
【図４】図３を中央で切断した右側断面の説明図である。
【図５】本発明における電子スタンプの他の例の図１に対応した正面説明図である。
【図６】同じく図２に対応した正面説明図である。
【図７】図４に対応した右側断面の説明図である。
【符号の説明】
１１・・・前板
１１ａ・・・ガイド溝
１３・・・後板
１３ａ・・・ガイド溝
１５・・・右側板
１７・・・左側板
１９・・・液晶表示板
２１・・・ステッピングモータ
２３・・・駆動歯車
３１・・・軸
４１・・・作動アーム４１
４１ａ・・・内歯
４１ｃ・・・脚部
５１・・・インクジェット印字ヘッド
５１ａ，５１ｃ・・・ガイドローラ
５３・・・インクタンク
５５・・・チューブ５５
６１・・・制御回路を搭載する制御基板
６３・・・印字ヘッドドライバ
６５・・・フレキシブル基板
６７・・・赤外線通信ポート
１１’，１３’・・・上板
１１”，１３”・・・下板
１１ｃ，１３ｃ・・・隙間
５１ｅ，５１ｇ・・・円柱部
５１ｉ，５１ｋ・・・姿勢規制駒
４１ｅ・・・二股部
【図１】
0004416225.tif 000002
【図２】
0004416225.tif 000003
【図３】
0004416225.tif 000004
【図４】
0004416225.tif 000005
【図５】
0004416225.tif 000006
【図６】
0004416225.tif 000007
【図７】
0004416225.tif 000008